(57)【要約】      （修正有）【課題】電気製品の電源プラグ、特に構造の古い築年数の経過した住宅における、コンセントに差すべきプラグで、フローリング床の台所など水周り近く等使用環境に場所的な制約のある所で使用する、電気製品不使用の際プラグを引っ掛けるフックを提供する。【解決手段】針金で作成されたプラグフックで、引っ掛ける環境に乏しいシンク台等でも引っ掛けることができ、弾力があり落下時の衝撃を吸収したり曲がっても手で曲がりを直すだけで良い耐久性やメインテナンスフリー性、工作容易性、フローリング床を傷つけない柔軟性、弾力性があるが故にフローリング床落下時に衝撃音を低くする利点、また通電時使用の絶縁性もあり、プラグの数・場所等条件によって引っ掛けるプラグやフック部等の数・形状等増設・減員も容易な、引っ掛けるプラグフックの識別をすることも容易な、プラグフックである。【選択図】図２
2014154541.tif 000002
【特許請求の範囲】
【請求項１】
針金で作成されたプラグフック。
【請求項２】
さらに、軽く、引っ掛ける凸に乏しいシンク台や冷蔵庫、電子レンジの、２ドアー冷蔵庫の上部冷凍庫のドアーの溝や不使用の電子レンジの半開きにした扉等引っ掛ける環境に乏しいところでも引っ掛ける工夫ができ、弾力があり落下時の衝撃を吸収したりプラスチック製品やガラス製品、木工品のように破損時修理を要するが針金なら曲がっても手で曲がりを直すだけで良い耐久性やメインテナンスフリー性、工作容易性、フローリング床を傷つけない柔軟性、軽く弾力性があるが故にフローリング床落下時に衝撃音を低くする利点、またビニール被服の針金を使用することにより耐水性やヒューマンエラー時万が一の通電時使用の絶縁性もあり、プラグの数・場所等条件によって引っ掛けるプラグやフック部等の数・形状等増設・減員も容易な、ビニール被服の色の違う針金を使用することにより、引っ掛けるプラグフックの識別をすることも容易な、請求項１のプラグフック。
【請求項３】
さらに、ビニール被服等で耐水性がある、台所等水周り環境に近い場所でも使用に耐える電源プラグフック。
【請求項４】
さらに、ゴム管で針金を覆い、耐水性、耐衝撃性、落下時の静粛性、フック部及びプラグ収納部の滑り止め及び誤ってフック使用中のままプラグを通電した際の絶縁性と耐ヒューマンエラー性を向上させた請求項１のプラグフック。
【発明の詳細な説明】
【技術分野】
【０００１】  本発明は、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるフックに関するものである。
【技術背景】
【０００２】  電気製品のプラグは、東日本大震災における福島原発事故を受けて日本全国の原子力発電所の運転が停止し、供給電力不足、特に夏場の電力不足解消及びピーク時で消費電力の低減を目指し、政府主導で節電が呼びかけられてきたのを受けて、電気製品の不使用の際は、コンセントから引き抜くことが推奨されてきた。
【０００３】  職場においては、不使用の電気製品のプラグは、コンセントから一律に引き抜くことが、職場全体のパソコン等ＯＡ機器の配線のように複数のプラグがテーブルタップによって同時に同一コンセントから多数の電源を取っており難しい場合、そのテーブルタップが夏場の雷の落雷によるサージ電流遮断装置機能があり通電スイッチがある場合、通電スイッチをオフにすること等により、コンセントからプラグを引き抜きことに代用して待機電源を削減することも行われてきた。
【０００４】  家庭においても、コンセントからプラグを引き抜く等して待機電源を削減することは、節電において推奨される対策一つであった。
【０００５】  しかし、家庭の場合、住居の種類や広さ、間取りによっては、引き抜いたコンセントの置き場所に窮する場所もあり得た。例えば、住居が構造の古い築年数の経過した鉄筋コンクリートの公営住宅や官舎で、台所等所謂水回りのフローリング床で、冷蔵庫収納部分のシンク流し台の凹状に引っ込んだ部分の、大人の胸ほどの高さにコンセントが設けられている場合、シンク台が横に位置し水がはね掛かる可能性が常にあり、水  跳ねの可能性からその近傍にテーブルタップを置くことは出来ず、且つ構造の古いシンク台もフック状のものをかける凸部に乏しい備え付け構造である場合である。不使用コンセントを床に置いて置くことは、誤ってプラグを踏む可能性、プラグの変形だけでなくフローリング床を傷つけ、退去の際原状回復費用を請求される可能性があり、不使用プラグの置き場に窮することがあった。また、台所床にプラグを放置すること事態、水を床にこぼした際にも、プラグに水が触れ、知らないでプラグをコンセントに差すと短絡する危険もあった。
【０００６】  不使用のプラグを収納する発明として、例えば、不使用の電源プラグを平版の長方形の基盤にフック上の収納部を設けプラグを収納する発明や電源プラグを掛けておくことのできるハンガー状の間に電源コードを挟めるように、ハンガーのアーム（１）を二股にした発明、２枚の板に挟まれた軸にコードを架け、プラグを垂直方に収納し、２枚の板の中心には、直径２０ｃｍの円を分割した軸を固定、壁側に対面する板の外側にプラグを架ける突起を付ける発明等優れた発明がなされている。
【特許文献１】特許公開２００７−６６８５８
【特許文献２】実用新案公開平６−４８１７９
【特許文献２】特許公開２０１０−７３６７２
【０００７】  平版の長方形の基盤やハンガー状のもの、乃至直径２０ｃｍの円を置いたり掛けたりする空間やスペースに厳しい場合、例えばシンク台の凹部の窪んだ冷蔵庫収納部の、冷蔵庫に上置された電子レンジやＩＨ電磁調理器等の不使用プラグを、シンク台からの水の飛散を避け、冷蔵庫の放熱の為の壁から離す推奨距離を妨げず、引っ掛ける凸に乏しいシンク台や冷蔵庫、電子レンジの、２ドアー冷蔵庫の上部冷凍庫のドアーの溝や不使用の電子レンジの半開きにした扉に仮に引っ掛けても冷蔵庫や電子レンジを破損せず、軽く、落ちづらい、フック爪は浅い溝でも噛むことが可能な、落としても破損せず床を傷つけずらい、原状回復のときに大家に怒られずにすみ、深夜に誤って床に落としてもその衝撃音で隣近所に迷惑を掛けるような落下音の出にくい、フック状のプラグ仮置き器具で、プラグ使用時には逆に手軽にプラグを外せるフック状の器具を見出すことが出来なかった。
【０００８】  軽く作ること、そうすれば、引っ掛ける凸に乏しいシンク台や冷蔵庫、電子レンジの、２ドアー冷蔵庫の上部冷凍庫のドアーの溝や不使用の電子レンジの半開きにした扉に仮に引っ掛けても冷蔵庫や電子レンジを破損せず、軽く、落ちづらい、フック爪は浅い溝でも噛むことが可能な、落としても破損せず床を傷つけずらい、原状回復のときに大家に怒られずにすみ、深夜に誤って床に落としてもその衝撃音で隣近所に迷惑を掛けるような落下音の出にくい、そして場所を選ばずに使用できるのではと考えた。軽く、引っ掛ける環境に乏しいところでも引っ掛ける工夫、耐久性、フローリング床を傷つけない、フローリング床落下時に衝撃音を低くする、また耐水性があれば尚良いと考えた。
【０００９】  以前クリップボード上の筆記用具落下防止器を針金で作成し出願したが、これを応用的に使えるのではないかと考えた。軽く、引っ掛ける環境に乏しいところでも引っ掛ける工夫ができ、耐久性、フローリング床を傷つけない、フローリング床落下時に衝撃音を低くする、また耐水性もあり、プラグの数によって増設・減員も容易だからである。
【発明が解決しようとする課題】
【００１０】  電気製品のプラグは、東日本大震災における福島原発事故を受けて日本全国の原子力発電所の運転が停止し、供給電力不足、特に夏場の電力不足解消及びピーク時で消費電力の低減を目指し、政府主導で節電が呼びかけられてきたのを受けて、電気製品の不使用の際は、コンセントから引き抜くことが推奨されてきた。
【００１１】  職場においては、不使用の電気製品のプラグは、コンセントから一律に引き抜くことが、職場全体のパソコン等ＯＡ機器の配線のように複数のプラグがテーブルタップによって同時に同一コンセントから多数の電源を取っており難しい場合、そのテーブルタップが夏場の雷の落雷によるサージ電流遮断装置機能があり通電スイッチがある場合、通電スイッチをオフにすること等により、コンセントからプラグを引き抜きことを代用することも行われてきた。
【００１２】  家庭においても、コンセントからプラグを引き抜く等して待機電源を削減することは、節電において推奨される対策一つであった。
【００１３】  しかし、家庭の場合、住居の種類や広さ、間取りによっては、引き抜いたコンセントの置場所に窮する場所もあり得た。例えば、住居が構造の古い築年数の経過した鉄筋コンクリートの公営住宅や官舎で、台所等所謂水回りのフローリング床で、冷蔵庫収納部分のシンク流し台の凹状に引っ込んだ部分の、大人の胸ほどの高さにコンセントが設けられている場合、シンク台が水がはね掛かるところにテーブルタップを置くことが出来ず且つ構造の古いシンク台にフック状のものをかける凸部に乏しい構造である場合である。不使用コンセントを床に置いて置くことは、誤ってプラグを踏む場合、プラグの変形だけでなくフローリング床を傷つけ、退去の際原状回復費用を請求される原因になり得る。
【課題を解決するための手段】
【００１４】軽く作ること、そうすれば、引っ掛ける凸に乏しいシンク台や冷蔵庫、電子レンジの、２ドアー冷蔵庫の上部冷凍庫のドアーの溝や不使用の電子レンジの半開きにした扉に仮に引っ掛けても冷蔵庫や電子レンジを破損せず、軽く、落ちづらい、フック爪は浅い溝でも噛むことが可能な、落としても破損せず床を傷つけずらい、原状回復のときに大家に怒られずにすみ、深夜に誤って床に落としてもその衝撃音で隣近所に迷惑を掛けるような落下音の出にくい、そして場所を選ばずに使用できるのではと考えた。軽く、引っ掛ける環境に乏しいところでも引っ掛ける工夫、耐久性、フローリング床を傷つけない、フローリング床落下時に衝撃音を低くする、また耐水性があれば尚良いと考えた。
【００１５】  以前クリップボード上の筆記用具落下防止器を針金で作成し出願したが、これを応用的に使えるのではないかと考えた。軽く、引っ掛ける環境に乏しいところでも引っ掛ける工夫ができ、弾力があり落下時の衝撃を吸収したりプラスチック製品やガラス製品、木工品のように破損時修理を要するが針金なら曲がっても手で曲がりを直すだけで良い耐久性やメインテナンスフリー性、工作容易性、フローリング床を傷つけない柔軟性、軽く弾力性があるが故にフローリング床落下時に衝撃音を低くする利点、またビニール被服の針金を使用することにより耐水性やヒューマンエラー時万が一の通電時使用の絶縁性もあり、プラグの数・場所等条件によって引っ掛けるプラグやフック部等の数・形状等増設・減員も容易だからである。ビニール被服の色の違う針金を使用することにより、引っ掛けるプラグフックの識別をすることも容易である。
【００１６】  さらに、ゴム管で針金を覆い、耐水性、耐衝撃性、落下時の静粛性、フック部及びプラグ収納部の滑り止め及び誤ってフック使用中のままプラグを通電した際の絶縁性と耐ヒューマンエラー性を向上させた。
【発明の効果】
軽く、引っ掛ける環境に乏しいところでも引っ掛ける工夫ができ、弾力があり落下時の衝撃を吸収したりプラスチック製品やガラス製品、木工品のように破損時修理を要するが針金なら曲がっても手で曲がりを直すだけで良い耐久性やメインテナンスフリー性、工作容易性、フローリング床を傷つけない柔軟性、軽く弾力性があるが故にフローリング床落下時に衝撃音を低くする利点、またビニール被服の針金を使用することにより耐水性やヒューマンエラー時万が一の通電時使用の絶縁性もあり、プラグの数・場所等条件によって引っ掛けるプラグやフック部等の数・形状等増設・減員も容易だからである。ビニール被服の色の違う針金を使用することにより、引っ掛けるプラグフックの識別をすることも容易電気プラグフックが完成した。
【図面の簡単な説明】
【００２７】
【図１】本発明の斜見図である。
【図２】本発明の斜見図である。
【図３】本発明の斜見図である。
【発明を実施するための形態】
本発明を実施するための形態を説明する。
【符号の簡単な説明】
１    コンセント
２    プラグ
３    プラグフック
４    フック部
５    プラグ収納部
６    フローリング床
７    ＩＨ電磁調理器
８    電子レンジ
９    冷蔵庫
１０  ゴム管
【図１】
2014154541.tif 000003
【図２】
2014154541.tif 000004
【図３】
2014154541.tif 000005
【図４】
2014154541.tif 000006
【手続補正書】
【提出日】平成25年4月4日(2013.4.4)
【手続補正１】
【補正対象書類名】明細書
【補正対象項目名】全文
【補正方法】変更
【補正の内容】
【発明の詳細な説明】
【技術分野】
【０００１】  本発明は、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるフックに関するものである。
【技術背景】
【０００２】  電気製品のプラグは、東日本大震災における福島原発事故を受けて日本全国の原子力発電所の運転が停止し、供給電力不足、特に夏場の電力不足解消及びピーク時で消費電力の低減を目指し、政府主導で節電が呼びかけられてきたのを受けて、電気製品の不使用の際は、コンセントから引き抜くことが推奨されてきた。
【０００３】  職場においては、不使用の電気製品のプラグは、コンセントから一律に引き抜くことが、職場全体のパソコン等ＯＡ機器の配線のように複数のプラグがテーブルタップによって同時に同一コンセントから多数の電源を取っており難しい場合、そのテーブルタップが夏場の雷の落雷によるサージ電流遮断装置機能があり通電スイッチがある場合、通電スイッチをオフにすること等により、コンセントからプラグを引き抜きことに代用して待機電源を削減することも行われてきた。
【０００４】  家庭においても、コンセントからプラグを引き抜く等して待機電源を削減することは、節電において推奨される対策一つであった。
【０００５】  しかし、家庭の場合、住居の種類や広さ、間取りによっては、引き抜いたコンセントの置き場所に窮する場所もあり得た。例えば、住居が構造の古い築年数の経過した鉄筋コンクリートの公営住宅や官舎で、台所等所謂水回りのフローリング床で、冷蔵庫収納部分のシンク流し台の凹状に引っ込んだ部分の、大人の胸ほどの高さにコンセントが設けられている場合、シンク台が横に位置し水がはね掛かる可能性が常にあり、水  跳ねの可能性からその近傍にテーブルタップを置くことは出来ず、且つ構造の古いシンク台もフック状のものをかける凸部に乏しい備え付け構造である場合である。不使用コンセントを床に置いて置くことは、誤ってプラグを踏む可能性、プラグの変形だけでなくフローリング床を傷つけ、退去の際原状回復費用を請求される可能性があり、不使用プラグの置き場に窮することがあった。また、台所床にプラグを放置すること事態、水を床にこぼした際にも、プラグに水が触れ、知らないでプラグをコンセントに差すと短絡する危険もあった。
【０００６】  不使用のプラグを収納する発明として、例えば、不使用の電源プラグを平版の長方形の基盤にフック上の収納部を設けプラグを収納する発明や電源プラグを掛けておくことのできるハンガー状の間に電源コードを挟めるように、ハンガーのアーム（１）を二股にした発明、２枚の板に挟まれた軸にコードを架け、プラグを垂直方に収納し、２枚の板の中心には、直径２０ｃｍの円を分割した軸を固定、壁側に対面する板の外側にプラグを架ける突起を付ける発明等優れた発明がなされている。
【特許文献１】特許公開２００７−６６８５８
【特許文献２】実用新案公開平６−４８１７９
【特許文献２】特許公開２０１０−７３６７２
【０００７】  平版の長方形の基盤やハンガー状のもの、乃至直径２０ｃｍの円を置いたり掛けたりする空間やスペースに厳しい場合、例えばシンク台の凹部の窪んだ冷蔵庫収納部の、冷蔵庫に上置された電子レンジやＩＨ電磁調理器等の不使用プラグを、シンク台からの水の飛散を避け、冷蔵庫の放熱の為の壁から離す推奨距離を妨げず、引っ掛ける凸に乏しいシンク台や冷蔵庫、電子レンジの、２ドアー冷蔵庫の上部冷凍庫のドアーの溝や不使用の電子レンジの半開きにした扉に仮に引っ掛けても冷蔵庫や電子レンジを破損せず、軽く、落ちづらい、フック爪は浅い溝でも噛むことが可能な、落としても破損せず床を傷つけずらい、原状回復のときに大家に怒られずにすみ、深夜に誤って床に落としてもその衝撃音で隣近所に迷惑を掛けるような落下音の出にくい、フック状のプラグ仮置き器具で、プラグ使用時には逆に手軽にプラグを外せるフック状の器具を見出すことが出来なかった。
【０００８】  軽く作ること、そうすれば、引っ掛ける凸に乏しいシンク台や冷蔵庫、電子レンジの、２ドアー冷蔵庫の上部冷凍庫のドアーの溝や不使用の電子レンジの半開きにした扉に仮に引っ掛けても冷蔵庫や電子レンジを破損せず、軽く、落ちづらい、フック爪は浅い溝でも噛むことが可能な、落としても破損せず床を傷つけずらい、原状回復のときに大家に怒られずにすみ、深夜に誤って床に落としてもその衝撃音で隣近所に迷惑を掛けるような落下音の出にくい、そして場所を選ばずに使用できるのではと考えた。軽く、引っ掛ける環境に乏しいところでも引っ掛ける工夫、耐久性、フローリング床を傷つけない、フローリング床落下時に衝撃音を低くする、また耐水性があれば尚良いと考えた。
【０００９】  以前クリップボード上の筆記用具落下防止器を針金で作成し出願したが、これを応用的に使えるのではないかと考えた。軽く、引っ掛ける環境に乏しいところでも引っ掛ける工夫ができ、耐久性、フローリング床を傷つけない、フローリング床落下時に衝撃音を低くする、また耐水性もあり、プラグの数によって増設・減員も容易だからである。
【発明が解決しようとする課題】
【００１０】  電気製品のプラグは、東日本大震災における福島原発事故を受けて日本全国の原子力発電所の運転が停止し、供給電力不足、特に夏場の電力不足解消及びピーク時で消費電力の低減を目指し、政府主導で節電が呼びかけられてきたのを受けて、電気製品の不使用の際は、コンセントから引き抜くことが推奨されてきた。
【００１１】  職場においては、不使用の電気製品のプラグは、コンセントから一律に引き抜くことが、職場全体のパソコン等ＯＡ機器の配線のように複数のプラグがテーブルタップによって同時に同一コンセントから多数の電源を取っており難しい場合、そのテーブルタップが夏場の雷の落雷によるサージ電流遮断装置機能があり通電スイッチがある場合、通電スイッチをオフにすること等により、コンセントからプラグを引き抜きことを代用することも行われてきた。
【００１２】  家庭においても、コンセントからプラグを引き抜く等して待機電源を削減することは、節電において推奨される対策一つであった。
【００１３】  しかし、家庭の場合、住居の種類や広さ、間取りによっては、引き抜いたコンセントの置場所に窮する場所もあり得た。例えば、住居が構造の古い築年数の経過した鉄筋コンクリートの公営住宅や官舎で、台所等所謂水回りのフローリング床で、冷蔵庫収納部分のシンク流し台の凹状に引っ込んだ部分の、大人の胸ほどの高さにコンセントが設けられている場合、シンク台が水がはね掛かるところにテーブルタップを置くことが出来ず且つ構造の古いシンク台にフック状のものをかける凸部に乏しい構造である場合である。不使用コンセントを床に置いて置くことは、誤ってプラグを踏む場合、プラグの変形だけでなくフローリング床を傷つけ、退去の際原状回復費用を請求される原因になり得る。
【課題を解決するための手段】
【００１４】軽く作ること、そうすれば、引っ掛ける凸に乏しいシンク台や冷蔵庫、電子レンジの、２ドアー冷蔵庫の上部冷凍庫のドアーの溝や不使用の電子レンジの半開きにした扉に仮に引っ掛けても冷蔵庫や電子レンジを破損せず、軽く、落ちづらい、フック爪は浅い溝でも噛むことが可能な、落としても破損せず床を傷つけずらい、原状回復のときに大家に怒られずにすみ、深夜に誤って床に落としてもその衝撃音で隣近所に迷惑を掛けるような落下音の出にくい、そして場所を選ばずに使用できるのではと考えた。軽く、引っ掛ける環境に乏しいところでも引っ掛ける工夫、耐久性、フローリング床を傷つけない、フローリング床落下時に衝撃音を低くする、また耐水性があれば尚良いと考えた。
【００１５】  以前クリップボード上の筆記用具落下防止器を針金で作成し出願したが、これを応用的に使えるのではないかと考えた。軽く、引っ掛ける環境に乏しいところでも引っ掛ける工夫ができ、弾力があり落下時の衝撃を吸収したりプラスチック製品やガラス製品、木工品のように破損時修理を要するが針金なら曲がっても手で曲がりを直すだけで良い耐久性やメインテナンスフリー性、工作容易性、フローリング床を傷つけない柔軟性、軽く弾力性があるが故にフローリング床落下時に衝撃音を低くする利点、またビニール被服の針金を使用することにより耐水性やヒューマンエラー時万が一の通電時使用の絶縁性もあり、プラグの数・場所等条件によって引っ掛けるプラグやフック部等の数・形状等増設・減員も容易だからである。ビニール被服の色の違う針金を使用することにより、引っ掛けるプラグフックの識別をすることも容易である。
【００１６】  さらに、ゴム管で針金を覆い、耐水性、耐衝撃性、落下時の静粛性、フック部及びプラグ収納部の滑り止め及び誤ってフック使用中のままプラグを通電した際の絶縁性と耐ヒューマンエラー性を向上させた。
【発明の効果】
軽く、引っ掛ける環境に乏しいところでも引っ掛ける工夫ができ、弾力があり落下時の衝撃を吸収したりプラスチック製品やガラス製品、木工品のように破損時修理を要するが針金なら曲がっても手で曲がりを直すだけで良い耐久性やメインテナンスフリー性、工作容易性、フローリング床を傷つけない柔軟性、軽く弾力性があるが故にフローリング床落下時に衝撃音を低くする利点、またビニール被服の針金を使用することにより耐水性やヒューマンエラー時万が一の通電時使用の絶縁性もあり、プラグの数・場所等条件によって引っ掛けるプラグやフック部等の数・形状等増設・減員も容易だからである。ビニール被服の色の違う針金を使用することにより、引っ掛けるプラグフックの識別をすることも容易電気プラグフックが完成した。
【図面の簡単な説明】
【００１７】
【図１】本発明の斜見図である。
【図２】本発明の斜見図である。
【図３】本発明の斜見図である。
【図４】本発明の正面図及び断面図斜見図である。
【発明を実施するための形態】
【００１８】  本発明を実施するための形態を説明する。
【符号の簡単な説明】
【００１９】１  コンセント
２  プラグ
３  プラグフック
４  フック部
５  プラグ収納部
６  フローリング床
７  ＩＨ電磁調理器
８  電子レンジ
９  冷蔵庫
１０  ゴム管